(57)【特許請求の範囲】
【請求項１】
変動可能の複数の図柄を並べて表示可能の図柄表示装置と、遊技球が入賞することにより前記図柄表示装置における前記複数の図柄の変動を開始させる始動口としては複数個の第１始動口のみを盤面に備え、前記複数の図柄が、各々変動開始し適宜時間後に停止した時に特定の図柄で揃っていると、大当たりになってアタッカを開放し、所定量の出玉が得られるように構成されたパチンコ機において、
前記複数個の第１始動口は、各々開閉手段を有しその開閉手段が開放状態にあるときのみ遊技球が入賞可能とされ、
遊技球が入賞することを前提条件として、前記開閉手段の各々を所定の順で一定時間ずつ開放状態にして遊技球を前記第１始動口の各々へ入賞可能にするための第２始動口を前記盤面に具備し、
前記複数個の第１始動口の各々は前記複数の図柄の各々に一対一で対応付けられ、前記複数個の第１始動口のうちのいずれかの第１始動口に遊技球が入賞することにより、その第１始動口に一対一で対応付けられた図柄が変動開始し、残余の第１始動口にも遊技球が入賞してその第１始動口に一対一で対応付けられた図柄が変動開始し、前記複数個の第１始動口の全てに遊技球が入賞して変動開始した前記複数の図柄の全てが停止した時に、それら複数の図柄が特定の図柄で揃っていることにより前記の大当たりになることを特徴とするパチンコ機。
【請求項２】
前記図柄表示装置は、前記盤面に取り付けられたレールの内側のほぼ中央に設けられ、
この図柄表示装置を挟んで上下方向に離れた位置に前記第１始動口と第２始動口とが配置され、
この第２始動口は前記図柄表示装置の下方に設けられ、この第２始動口の下方にアタッカが設けられることを特徴とする請求項１に記載のパチンコ機。
【発明の詳細な説明】
【０００１】
【発明の属する技術分野】
本発明は、始動口に遊技球が入賞することにより図柄表示装置の図柄が変動するパチンコ機に関するものである。
【０００２】
【従来の技術】
従来、この種のパチンコ機におけるゲーム性の向上に関する技術としては、次の２つの手法があった。
（１）始動口に遊技球が入賞すると図柄表示装置の複数の図柄が変動し、特定の図柄が揃うと大当たりになってアタッカ等の大入賞口が一定時間開放し、所定量の出玉が得られるという手法。
（２）始動口に遊技球が入賞すると図柄表示装置の複数の図柄が変動し、特定の図柄の並びで大当たりになってアタッカ等の大入賞口が一定時間開放し、所定量の出玉が得られる。ここで、始動口（第１始動口）を、電動チューリップを有して構成し、その電動チューリップを開放状態にさせるための第２始動口を付設し、この第２始動口へ遊技球が入賞すれば第１始動口への入賞を可能にするという手法。
【０００３】
【発明が解決しようとする課題】
しかしながら上記従来技術には、次のような問題点があった。
すなわち、手法（１）では、始動口への入賞が大当たりとなる唯一かつ基本的な条件となっているので、遊技者は始動口への入賞狙いに終始する。このため、ゲームが単調となって遊技者に飽きが来るという問題点があった。
上記図柄表示装置に液晶画像表示装置を使用し、表示画像の演出としてアニメーションを採り入れる等、単なる図柄合わせゲームから数段ゲーム性を向上させたとしても、ゲームが単調となって遊技者に飽きが来るという結果は同様であった。
【０００４】
また手法（２）では、第２始動口への入賞を遂げれば第１始動口への入賞、つまり大当たりの確率が高まるが、第１始動口の電動チューリップは通常の電動チューリップであり、閉成状態でも第１始動口への入賞が可能である。そのため、手法（１）におけるほどではないものの、遊技者は第１始動口への入賞狙いに終始しやすい。このため、結局は手法（１）と同様にゲームが単調となって遊技者に飽きが来るという問題点があった。
【０００５】
本発明は、上記従来技術の問題点を解消するためになされたもので、大当たり等、遊技者にとって有利になる条件を満足させるための特定の始動口（第１始動口）への入賞狙いに終始させることがなく、ゲームが単調となって遊技者に飽きが来ることのないようにしたパチンコ機を提供することを目的とする。
【０００６】
【課題を解決するための手段】
上記目的を達成するために、請求項１に記載の発明は、変動可能の複数の図柄を並べて表示可能の図柄表示装置と、遊技球が入賞することにより前記図柄表示装置における前記複数の図柄の変動を開始させる始動口としては複数個の第１始動口のみを盤面に備え、前記複数の図柄が、各々変動開始し適宜時間後に停止した時に特定の図柄で揃っていると、大当たりになってアタッカを開放し、所定量の出玉が得られるように構成されたパチンコ機において、前記複数個の第１始動口は、各々開閉手段を有しその開閉手段が開放状態にあるときのみ遊技球が入賞可能とされ、遊技球が入賞することを前提条件として、前記開閉手段の各々を所定の順で一定時間ずつ開放状態にして遊技球を前記第１始動口の各々へ入賞可能にするための第２始動口を前記盤面に具備し、前記複数個の第１始動口の各々は前記複数の図柄の各々に一対一で対応付けられ、前記複数個の第１始動口のうちのいずれかの第１始動口に遊技球が入賞することにより、その第１始動口に一対一で対応付けられた図柄が変動開始し、残余の第１始動口にも遊技球が入賞してその第１始動口に一対一で対応付けられた図柄が変動開始し、前記複数個の第１始動口の全てに遊技球が入賞して変動開始した前記複数の図柄の全てが停止した時に、それら複数の図柄が特定の図柄で揃っていることにより前記の大当たりになることを特徴とする。
【０００７】
請求項２に記載の発明は、請求項１に記載の発明において、前記図柄表示装置は、前記盤面に取り付けられたレールの内側のほぼ中央に設けられ、この図柄表示装置を挟んで上下方向に離れた位置に前記第１始動口と第２始動口とが配置され、この第２始動口は前記図柄表示装置の下方に設けられ、この第２始動口の下方にアタッカが設けられることを特徴とする。
【０００９】
【発明の実施の形態】
以下、本発明の実施の形態を図面に基づき説明する。
図１は本発明によるパチンコ機の第１実施形態を示す盤面図である。
この図において、１１はパチンコ機の盤面であり、この盤面１１には、ほぼ円形状にレール１２が取り付けられており、このレール１２の内側には、種々の機能部品が設けられている。
【００１０】
すなわち、レール１２の内側のほぼ中央には、変動可能の３つの特別図柄Ｌ，Ｃ，Ｒを横並びに表示可能の特別図柄表示装置１３が設けられ、その真上に第１始動口１４が設けられている。この第１始動口１４から一定距離以上、離れた位置、ここでは特別図柄表示装置１３の下方の所定位置には、第２始動口１５が普通図柄表示装置１６を伴って設けられ、更にその下方にはアタッカ（大入賞装置）１７が設けられている。
第１始動口１４と第２始動口１５とを一定距離以上、離して配置するのは、それらの始動口１４，１５のうち、どちらの入賞を狙うかによって、図示しない遊技球発射ハンドルの操作位置（角度）を一定量以上変えなければならないようにするためである。
【００１１】
レール１２の内側で、中央部分より外側の左右適宜箇所には、各一対の風車１８，１９が所定間隔置いて並設され、それら各一対の風車１８，１９の下方には各々入賞口２０が設けられている。更に、レール１２の内側の、各機能部品（特別図柄表示装置１３、第１始動口１４、第２始動口１５、普通図柄表示装置１６、アタッカ１７、風車１８，１９及び入賞口２０等）を避けた適宜箇所には、多数の遊技釘（図示せず）が打ち込まれている。
【００１２】
ここで、上記第１始動口１４は、電動チューリップＥを有しその電動チューリップＥが開放状態にあるときのみ遊技球が入賞可能、換言すれば、電動チューリップＥが閉成状態にあるときには第１始動口１４へ遊技球が入賞しないように構成されている。またこの電動チューリップＥは、１回の開放動作時において、所定時間間隔で３回、各回につき一定時間開放するように構成されている。
【００１３】
また上記特別図柄表示装置１３は、第１始動口１４の電動チューリップＥの１回の開放動作時において、１回目の入賞球により左側の特別図柄Ｌが、２回目の入賞球により中央の特別図柄Ｃが、３回目の入賞球により右側の特別図柄Ｒが、各々変動を開始し、適宜時間後に各々停止するように構成されている。
【００１４】
上記アタッカ１７は、特別図柄表示装置１３の３つの特別図柄Ｌ，Ｃ，Ｒが停止したときに、それらが特定の特別図柄で揃っていると大当たりになって一定時間開放され、所定量の出玉が得られるように構成されている。
【００１５】
更に上記第２始動口１５は、上記普通図柄表示装置１６の図柄（普通図柄）Ｘの変動を開始させるための始動口である。
普通図柄表示装置１６は、第２始動口１５への遊技球の入賞によりその図柄Ｘが変動開始し、その後、一定時間を経て図柄変動を停止するように構成されている。上記第１始動口１４の電動チューリップＥは、普通図柄表示装置１６の図柄Ｘが所定の図柄で停止したときに開放動作状態となり、第１始動口１４への遊技球の入賞を可能とするように構成されている。
なお図中、ＯＵＴは遊技球のアウト口である。
【００１６】
次に、上述第１実施形態の動作について説明する。
遊技球（図示せず）が発射され、レール１２の内側に放出された後、盤面１１上を流下して入賞口２０に入賞し、あるいはアウト口ＯＵＴに入球するまでの動作については従来のパチンコ機と特に変わるところはないので、ここでは、第１，第２始動口１４，１５への入賞があった場合の動作について説明する。
【００１７】
遊技球が第２始動口１５に入賞すると、普通図柄表示装置１６の図柄Ｘが変動を開始する。変動開始後、一定時間経過して停止した図柄が所定の図柄であれば、電動チューリップＥが後述するように開放動作する。それ以外の図柄であるときには、電動チューリップＥは開放動作せず、閉成状態のままである。
なお、電動チューリップＥが開放動作しなければ第１始動口１４へ遊技球が入賞することはない。すなわち、第２始動口１５への遊技球の入賞は、第１始動口１４への遊技球の入賞の基本的な条件（前提条件）となっている。
【００１８】
第１始動口１４の電動チューリップＥの開放動作及びそれ以降の各部の動作は、次の通りである。
すなわち電動チューリップＥは、所定時間間隔で３回、各回につき一定時間開放する。そして、１回目の開放時に遊技球の入賞（入賞球）があれば、左側の特別図柄Ｌが変動を開始する。２回目の開放時に遊技球の入賞があれば、中央の特別図柄Ｃが変動を開始する。３回目の開放時に遊技球の入賞があれば、右側の特別図柄Ｒが変動を開始する。
【００１９】
左側、中央及び右側の３つの特別図柄Ｌ，Ｃ，Ｒは、各々適宜時間後に停止するが、停止時に、それら３つの特別図柄Ｌ，Ｃ，Ｒが特定の図柄で揃っていると大当たりになり、アタッカ１７を一定時間開放し、所定量の出玉が得られるようになる。
【００２０】
なお、上述第１実施形態では、普通図柄表示装置１６を設けたが、これを省略し、第２始動口１５への入賞によって、直接、電動チューリップＥを開放動作させ、遊技球を第１始動口１４へ入賞可能にしてもよい。
また、電動チューリップＥへの１回の入賞毎に３つの特別図柄Ｌ，Ｃ，Ｒが同時に変動開始するようにしてもよい。この場合、各特別図柄Ｌ，Ｃ，Ｒを、適宜時間ずらせて順次停止させるようにすれば、遊技心をより高揚させ得る。
【００２１】
図２は本発明によるパチンコ機の第２実施形態を示す盤面図である。
図１と比較して分かるように、この第２実施形態では、左側、中央及び右側の３つの第１始動口２１、２２及び２３を備えている。
【００２２】
この第１始動口２１〜２３は、各々電動チューリップＥ（ＥＬ，ＥＣ，ＥＲ）を有し自身の電動チューリップＥが開放状態にあるときのみ遊技球（図示せず）が入賞可能、換言すれば、電動チューリップＥが閉成状態にあるときには各々第１始動口２１〜２３へ遊技球が入賞しないように構成されている。また電動チューリップＥは、１回の開放動作時において、電動チューリップＥＬ、同ＥＣ及び同ＥＲの順で一定時間ずつ開放するように構成されている。
【００２３】
また特別図柄表示装置１３は、第１始動口２１〜２３の電動チューリップＥの１回の開放動作時において、第１始動口２１への入賞球により左側の特別図柄Ｌが、第１始動口２２への入賞球により中央の特別図柄Ｃが、第１始動口２３への入賞球により右側の特別図柄Ｒが、各々変動を開始し、適宜時間後に各々停止するように構成されている。
【００２４】
更に上記第２始動口１５は、普通図柄表示装置１６の図柄Ｘの変動を開始させるための始動口である。普通図柄表示装置１６の図柄Ｘの変動は、開始後、一定時間を経て停止するように構成されている。
また、第１始動口２１〜２３の電動チューリップＥ（ＥＬ，ＥＣ，ＥＲ）は、普通図柄表示装置１６の図柄Ｘが所定の図柄で停止したときに開放動作状態となり、第１始動口２１〜２３への遊技球の入賞を可能とするように構成されている。
その他の構成は図１とほぼ同様であり、同一又は相当部分に同一符号を付してその説明を省略する。
【００２５】
次に、上述第２実施形態の動作について説明する。
ここでは、第１，第２始動口２１〜２３，１５への入賞があった場合の動作について説明する。
【００２６】
遊技球が第２始動口１５に入賞すると、普通図柄表示装置１６の図柄Ｘが変動を開始する。変動開始後、一定時間経過して停止した図柄が所定の図柄であれば、電動チューリップＥ（ＥＬ，ＥＣ，ＥＲ）が後述するように開放動作する。それ以外の図柄であるときには、電動チューリップＥは開放動作せず、閉成状態のままである。
なお、この第２実施形態においても、電動チューリップＥが開放動作しなければ第１始動口２１〜２３へ遊技球が入賞することはない。すなわち、第２始動口１５への遊技球の入賞は、第１始動口２１〜２３への遊技球の入賞の基本的な条件（前提条件）となっている。
【００２７】
第１始動口２１〜２３の電動チューリップＥの開放動作及びそれ以降の各部の動作は、次の通りである。
すなわち電動チューリップＥは、１回の開放動作時において、電動チューリップＥＬ、同ＥＣ及び同ＥＲの順で一定時間ずつ開放する。そして、このような電動チューリップＥの開放動作時において、第１始動口２１への遊技球の入賞（入賞球）があれば左側の特別図柄Ｌが変動を開始する。続いて、第１始動口２２への遊技球の入賞があれば中央の特別図柄Ｃが変動を開始する。更に、第１始動口２３への遊技球の入賞があれば右側の特別図柄Ｒが変動を開始する。
【００２８】
左側、中央及び右側の３つの特別図柄Ｌ，Ｃ，Ｒは、各々適宜時間後に停止するが、停止時に、それら３つの特別図柄Ｌ，Ｃ，Ｒが特定の図柄で揃っていると大当たりになり、アタッカ１７を一定時間開放し、所定量の出玉が得られるようになる。
【００２９】
なお、上述第２実施形態では、普通図柄表示装置１６を設けたが、これを省略し、第２始動口１５への入賞によって、直接、電動チューリップＥを開放動作させ、遊技球を第１始動口２１〜２３に入賞可能にしてもよい。
【００３０】
図３は本発明によるパチンコ機の第３実施形態を示す盤面図である。
図２と比較して分かるように、この第３実施形態では、第２実施形態に確率変化用図柄表示装置３１が付加されている。
この確率変化用図柄表示装置３１は、例えば第１始動口２２及び特別図柄表示装置１３相互間に配設され、第２実施形態における大当たりが終了した際に、その図柄（確率変化用図柄）Ｙが変動を開始し、所定時間後に停止するように構成されている。
【００３１】
また、第１始動口２１〜２３の電動チューリップＥ（ＥＬ，ＥＣ，ＥＲ）は、確率変化用図柄表示装置３１の上記停止時の図柄Ｙの種別により、その開放動作が例えば下記のように変化するように構成されている。
すなわち、上記停止時の図柄Ｙがａ図柄である場合には、第１始動口２１，２３の電動チューリップＥＬ，ＥＲは開放動作しないが、左，右各側の特別図柄Ｌ，Ｒが大当たりに係る同一図柄で揃って表示され、中央の第１始動口２２の電動チューリップＥＣのみが開放動作するように構成されている。
【００３２】
これにより、中央の第１始動口２２への遊技球の入賞があれば中央の特別図柄Ｃが変動を開始する。この中央の特別図柄Ｃは、適宜時間後に停止するが、変動停止時に、上記左，右各側の特別図柄Ｌ，Ｒと同一の図柄になれば大当たりになり、アタッカ１７を一定時間開放し、所定量の出玉が得られるようになる。この場合は、左，右各側の特別図柄Ｌ，Ｒが予め大当たりに係る同一図柄で揃っている分だけ、大当たりの確率が上昇する。
【００３３】
また、上記停止時の図柄Ｙがａ図柄以外のいずれかの図柄、例えばｂ図柄である場合には、電動チューリップＥの開放動作は通常時（基本設定）と同様になるように構成されている。したがって、この場合は、電動チューリップＥの開放動作に変化はなく、各々上述第２実施形態の場合と同様の開放動作になる（大当たりの確率上昇はない）。
【００３４】
更に、普通図柄表示装置１６についても、確率変化用図柄表示装置３１の上記停止時の図柄Ｙの種別により、電動チューリップＥを開放動作させる所定の普通図柄で停止する確率が例えば下記のように変化するように構成されている。
【００３５】
すなわち、確率変化用図柄表示装置３１の上記停止時の図柄Ｙがａ図柄である場合には、通常時（基本設定）よりも高い確率で電動チューリップＥを開放動作させる普通図柄で停止する。また、上記停止時の図柄Ｙがａ図柄以外のいずれかの図柄、例えばｂ図柄である場合には、通常時と同様の確率で電動チューリップＥを開放動作させる普通図柄で停止する（大当たりの確率上昇がない）ように構成されている。
その他の構成は図１とほぼ同様であり、同一又は相当部分に同一符号を付してその説明を省略する。
【００３６】
次に、上述第３実施形態の動作について説明する。
ここでは、第１，第２始動口２１〜２３，１５への入賞があった場合の動作について説明する。
【００３７】
遊技球が第２始動口１５に入賞すると、普通図柄表示装置１６の図柄Ｘが変動を開始する。変動開始後、一定時間経過して停止した図柄Ｘが所定の図柄であれば、電動チューリップＥ（ＥＬ，ＥＣ，ＥＲ）が後述するように開放動作する。それ以外の図柄であるときには、電動チューリップＥは開放動作せず、閉成状態のままである。
なお、この第３実施形態においても、電動チューリップＥが開放動作しなければ第１始動口２１〜２３へ遊技球が入賞することはない。すなわち、第２始動口１５への遊技球の入賞は、第１始動口２１〜２３への遊技球の入賞の基本的な条件（前提条件）となっている。
【００３８】
ここで、普通図柄表示装置１６の上記停止時の図柄Ｘが電動チューリップＥを開放動作させ得る所定の図柄となる確率は、確率変化用図柄表示装置３１の現在表示されている図柄（前回停止時の図柄）Ｙによって異なる。すなわち上記確率は、確率変化用図柄表示装置３１の上記停止時の図柄Ｙがａ図柄である場合には通常時（基本設定）よりも高くなり、ａ図柄以外である場合には通常時のままである。
【００３９】
第１始動口２１〜２３の電動チューリップＥの開放動作及びそれ以降の各部の動作（通常時）は、次の通りである。
すなわち電動チューリップＥは、１回の開放動作時において、電動チューリップＥＬ、同ＥＣ及び同ＥＲの順で一定時間ずつ開放する。そして、このような電動チューリップＥの開放動作時において、第１始動口２１への遊技球の入賞（入賞球）があれば左側の特別図柄Ｌが変動を開始する。続いて、第１始動口２２への遊技球の入賞があれば中央の特別図柄Ｃが変動を開始する。更に、第１始動口２３への遊技球の入賞があれば右側の特別図柄Ｒが変動を開始する。
【００４０】
左側、中央及び右側の３つの特別図柄Ｌ，Ｃ，Ｒは、各々適宜時間後に停止するが、停止時に、それら３つの特別図柄Ｌ，Ｃ，Ｒが特定の図柄で揃っていると大当たりになり、アタッカ１７を一定時間開放し、所定量の出玉が得られるようになる。
【００４１】
ここで、第１始動口２１〜２３の電動チューリップＥの開放動作及びそれ以降の各部の動作は、確率変化用図柄表示装置３１の現在表示されている図柄（前回停止時の図柄）Ｙによって異なる。
すなわち、確率変化用図柄表示装置３１の現在表示されている図柄Ｙがａ図柄以外である場合には上述通常時（基本設定）のままであるが、ａ図柄である場合には上述通常時とは異なり、以下のように動作する。
【００４２】
この場合は、電動チューリップＥＬ，ＥＲは開放動作せず、また、左，右各側の特別図柄Ｌ，Ｒは大当たりに係る同一図柄で揃って表示されている。
この状態で、電動チューリップＥＣのみが開放動作する。電動チューリップＥＣを有する第１始動口２２への遊技球の入賞があれば中央の特別図柄Ｃが変動を開始する。この中央の特別図柄Ｃは、適宜時間後に停止するが、停止時に、上記左，右各側の特別図柄Ｌ，Ｒと同一の図柄になれば（３つの特別図柄Ｌ，Ｃ，Ｒが揃えば）大当たりになり、アタッカ１７を一定時間開放する。
すなわち、確率変化用図柄表示装置３１の現在表示されている図柄Ｙがａ図柄である場合には、左，右各側の特別図柄Ｌ，Ｒが予め大当たりに係る同一図柄で揃っている分だけ、大当たりの確率が高まる。
【００４３】
上述第３実施形態では、普通図柄表示装置１６を設けたが、これを省略し、第２始動口１５への入賞によって、直接、電動チューリップＥを開放動作させ、遊技球を第１始動口２１〜２３に入賞可能にしてもよい。
【００４４】
なお上述実施形態では、いずれも本発明を第１種特別電動役物付きパチンコ機（第１種パチンコ機）に適用した場合について説明したが、このようなパチンコ機のみに限定されないことは勿論である。例えば、本発明を第３種特別電動役物付きパチンコ機（第３種パチンコ機）に適用してもよく、これによっても上述実施形態と同様に動作し、同様の効果が得られる。
また第１，第２始動口として、いずれも入賞後、出玉（賞球）が得られる一般的な始動口を用いたが、入賞後に出玉が得られない、換言すれば遊技球が単に通過するだけの始動口（スルーチャッカ）等を用いてもよい。それら２種類の始動口を併用してもよい。
更に、第１始動口への入賞を可能とするための開閉手段として電動チューリップを用いたが、これのみに限定されることはない。例えば、盤面の前後方向に開閉する扉を有する、いわゆるアタッカタイプの開閉手段を電動チューリップに代えて用いてもよい。第２，第３実施形態のように第１始動口を複数備える場合には、電動チューリップとアタッカタイプの開閉手段とを併用してもよい。
【００４５】
【発明の効果】
以上述べたように本発明では、図柄表示装置（上述実施形態では特別図柄表示装置）の図柄を変動させるための始動口（第１始動口）を備えたパチンコ機において、上記第１始動口を、開閉手段を有して構成すると共に、その開閉手段が開放状態にあるときのみ入賞可能にし、また、上記開閉手段を開放状態にして第１始動口への入賞を可能にするための第２始動口を付加した。
これによれば、第２始動口への入賞を条件として、第１始動口への入賞が可能になるので、遊技者は、まず第２始動口への入賞を狙い、この第２始動口への入賞を遂げてから第１始動口への入賞を狙うことになる。したがって、従来のパチンコ機のように、１つの始動口（第１始動口）への入賞狙いに終始させることがなくなり、ゲームが単調となって遊技者に飽きを来させるということがなくなる。
【００４６】
第１始動口と第２始動口とを一定距離以上、離して配置することによれば、それらの始動口のうち、どちらの入賞を狙うかによって、遊技球発射ハンドルの操作位置（角度）を一定量以上変えることになる。したがって、より以上、操作に変化が要求されることになり、ゲームが単調になることをより回避できる。
【００４７】
第２始動口への入賞に基づいて開閉手段が開放状態となる第１始動口を複数個設け、該第１始動口への入賞と図柄表示装置の図柄変動を連動させることによれば、ゲームの面白みをより増すことができる。
【００４８】
なお、従来のパチンコ機では１つの始動口への入賞のみで大当たり等、遊技者にとって有利になる条件を満足させることができたのに対して、本発明では、もう１つの始動口（第２始動口）への入賞が、有利になる条件を満足させるために必要となる。これについては、例えば第１始動口への入賞による図柄変動の結果において大当たりが出る確率を高める等、他の有利になる条件を満足させる確率を高めたり、適宜の遊技場面での一連の出玉数を増やす等で対処すれば、全体としての出玉の均衡が保たれる。
【図面の簡単な説明】
【図１】本発明によるパチンコ機の第１実施形態を示す盤面図である。
【図２】同じく第２実施形態を示す盤面図である。
【図３】同じく第３実施形態を示す盤面図である。
【符号の説明】
１３  特別図柄表示装置（図柄表示装置）
１４  第１始動口（始動口）
１５  第２始動口
Ｌ，Ｃ，Ｒ  特別図柄
Ｅ  電動チューリップ（開閉手段）
【図１】
0004854858.tif 000002
【図２】
0004854858.tif 000003
【図３】
0004854858.tif 000004